(57)【要約】【課題】舗装工事物件情報を発注・受注会社に公開することでシステム運用の透明性及び公平性を担保し、発注会社には安価な工事の発注を可能とし、受注会社には舗装工事物件の効率的な施工を可能とする舗装工事の入札システムを提供すること。【解決手段】発注会社のＰＣ２Ａ…と、受注会社のＰＣ３Ａ…とに対してインターネット回線４を介して接続するサーバ５に、発注会社情報を記憶する発注会社記憶手段９１と、受注会社情報を記憶する受注会社記憶手段９２と、ＰＣ２Ａ…に入力された舗装工事物件情報を発注会社情報と関連づけて記憶する舗装工事物件記憶手段９３と、舗装工事物件記憶手段に記憶されたいくつかの舗装工事物件を括る舗装工事括り手段と、括り手段によって決定された括りを記憶する括り記憶手段９４と、舗装工事物件情報及び括りに関する情報を発注会社及び受注会社に提供する入出力インターフェース６と、を設ける。【選択図】  図２
2004302659.tif 000002
【特許請求の範囲】
【請求項１】
発注会社が少なくとも舗装工事完了日及び舗装工事場所を含む舗装工事物件情報を入力する発注内容入力手段と、受注会社が入札情報を入力する入札情報入力手段とに対して、電気信号を送受信する通信手段を介して接続するコンピュータを用いて、１又は２以上の発注会社が発注内容入力手段から各々入力した舗装工事物件情報を集約し、集約した舗装工事物件情報を１又は２以上の受注会社に提供し、前記受注会社が前記入札情報入力手段に入力した入札情報に基づいて発注先を決定する舗装工事の入札システムにおいて、
前記コンピュータが、
発注会社に関する発注会社情報を記憶する発注会社記憶手段と、
受注会社に関する受注会社情報を記憶する受注会社記憶手段と、
前記発注内容入力手段に入力された舗装工事物件情報を前記発注会社情報と関連づけて記憶する舗装工事物件記憶手段と、
前記舗装工事物件記憶手段に記憶されたいくつかの舗装工事物件を括る舗装工事括り手段と、
前記括り手段によって決定された括りを記憶する括り記憶手段と、
前記舗装工事物件記憶手段に記憶された舗装工事物件情報、及び、前記括り記憶手段に記憶された括りに関する情報を、前記発注会社記憶手段に記憶された発注会社及び前記受注会社記憶手段に記憶された受注会社に前記通信手段を介して提供する情報提供手段と、を有すること、を特徴とする舗装工事の入札システム。
【請求項２】
請求項１に記載する舗装工事の入札システムにおいて、
前記舗装工事括り手段は、
前記舗装工事物件記憶手段に記憶される舗装工事物件情報の舗装工事完了日と舗装工事場所とに基づいて１又は２以上の前記舗装工事物件を括り、括った舗装工事物件の全てが所定期間に合わせて完了するときには当該括りを確定し、括った舗装工事物件の全てが所定期間より前或いは所定期間を超えて完了するときには当該括りを見直して括り直すこと、を特徴とする舗装工事の入札システム。
【請求項３】
請求項２に記載する舗装工事の入札システムにおいて、
前記発注会社は、前記発注内容入力手段から予めいくつかの舗装工事物件を括るよう指定することが可能であり、
前記舗装工事括り手段は、前記発注会社によって指定された括り指定を、１個の舗装工事物件として取り扱うこと、を特徴とする舗装工事の入札システム。
【発明の詳細な説明】
【０００１】
【発明の属する技術分野】
本発明は、インターネット等を介して情報を交換し、舗装工事を競争入札する舗装工事の入札システムに関する。
【０００２】
【従来の技術】
舗装工事は、例えば、ガス管や水道管の敷設工事などに伴って行われる。図１５は、埋設管敷設工事の流れを示す図である。
図１５（ａ）に示すように、現状道路１００の舗装構造は、地表面側から表層（アスファルト）１０１、路盤（砕石等）１０２、路床１０３となっている。埋設管敷設工事では、まず、図１５（ｂ）に示すように、現状道路１００を路床１０３まで掘削し、埋設管１０４を敷設した後、図１５（ｃ）に示すように、埋め戻し砂１０５を掘削した溝に埋め戻し、仮アスファルト１０６を設ける。これにより、道路が仮復旧され、一般人が利用可能な状態になる。その後、埋設管１０４周囲の埋め戻し砂が十分に自然転圧されたら、図１５（ｄ）に示す本復旧を行う。すなわち、掘削した溝幅より広い範囲にわたり、仮アスファルト１０６と埋め戻し砂１０５を撤去して路床１０３を平滑化し、その上に路盤１０２とアスファルト１０１を設け、埋設管敷設工事前の状態に復元する。
【０００３】
こうした埋設管敷設工事は、発注会社が、国や地方公共団体などの道路管理者に対し、工事期間中に道路を占有する許可を申請する。道路管理者から占有許可を受けると、発注会社は、埋設管敷設工事会社と仮復旧までの契約を交わす。埋設管敷設工事会社が仮復旧まで履行すると、発注会社は、道路管理者に仮復旧状態と本復旧計画を申請し、道路管理者との間で、現場立会、口頭協議等で道路復旧査定を行う。本復旧工事は、ガス管など埋設管を直接取り扱わず舗装工事のみを行うため、発注会社特有の特殊性を有しない。そのため、発注会社は、道路管理者が了解した内容で舗装工事会社などの受注会社に競札を行い、落札した受注会社に本復旧を発注する。
【０００４】
ここで、発注会社には、ガス会社、水道会社、電力会社などのユーティリティ企業や、国や地方公共団体が地下埋設物工事などを発注した設備会社など種々のものがある。各発注会社は、受注会社に対し舗装工事を個別に発注するため、同地区同時期の舗装工事を別々の受注会社が行うなど無駄が多く、業務効率が悪い問題があった。
【０００５】
このような問題を解決するために、各発注会社の責任範囲で発注、施工している本復旧工事を一本化し、広く一般向けに競争入札する舗装工事の入札システムが提案されている。
【０００６】
図１６は、従来の舗装工事の入札システム１１０の流れを示す図である。
従来の舗装工事の入札システム１１０は、第三者機関１１１が発注会社１１４Ａ〜１１４Ｄと受注会社１１５Ａ〜１１５Ｄとの中間に位置し、発注会社１１４Ａ〜１１５Ｄから書類、図面などの情報や電話回線、インターネット回線１１３などの電子情報を受けて、サーバ１１２に仮復旧報告や舗装工事箇所の位置情報などを含む仮復旧情報を発注購買システム１１７、マッピングシステム１１６に登録する。登録は、発注会社１１４Ａ〜１１４Ｄから直接行われる場合もある。その後、第三者機関１１１が、例えば、近接する舗装工事箇所が存在した場合には、その舗装工事を一本化し、発注購買情報としてデータベース１１８に記憶する。
【０００７】
第三者機関１１１は、インターネット回線１１９を介して図面情報や発注購買情報を受注会社１１５Ａ〜１１５Ｄに送信する。受注会社１１５Ａ〜１１５Ｄは、受信内容を確認して入札を希望する場合には、インターネット回線１１９を介して第三者機関１１１のサーバ１１２に入札情報を返信する。第三者機関１１１は、受注会社１１５Ａ〜１１５Ｄが入力した入札情報に基づいて例えば受注会社１１５Ａを選択し、落札情報を送信する。このように、舗装工事の入札システム１１０によれば、複数の発注会社１１４Ａ〜１１４Ｄの仮復旧情報が集約されて一本化されるので、例えば、同地区同時期の舗装工事を別々の受注会社１１５Ａ〜１１５Ｄが行うなどの無駄を排除し、業務効率を向上させることが可能である（例えば、特許文献１参照）。
【０００８】
【特許文献１】
特開２００２−４１６０３号公報（第２〜４頁、第１〜５図。）。
【０００９】
【発明が解決しようとする課題】
しかしながら、従来の舗装工事の入札システム１１０は、発注会社１１４Ａ〜１１４Ｄと受注会社１１５Ａ〜１１５Ｄとの中間に位置する第三者機関１１１だけが全体の舗装工事物件情報を独占して発注権を有し、その情報に基づいて舗装工事の一本化を行い、発注作業を行うものであり、発注会社１１４Ａ〜１１４Ｄ、受注会社１１５Ａ〜１１５Ｄに舗装工事物件情報は公開されていない。したがって、舗装工事の効率的な施工、落札の公平性の担保には、限界があった。
【００１０】
そこで、本発明は、上記課題を解決するためになされたものであり、舗装工事物件情報を発注会社と受注会社に公開することでシステム運用の透明性及び公平性を担保し、発注会社には、舗装工事の発注機会を損失することなく、安価な工事の発注を可能とし、受注会社には、受注機会を損失することなく、舗装工事物件の効率的な施工を実現することができる舗装工事の入札システムを提供することを目的とする。
【００１１】
【課題を解決するための手段】
上記課題を解決するためになされた本願発明は以下の特徴を有する。
（１）発注会社が少なくとも舗装工事完了日及び舗装工事場所を含む舗装工事物件情報を入力する発注内容入力手段と、受注会社が入札情報を入力する入札情報入力手段とに対して、電気信号を送受信する通信手段を介して接続するコンピュータを用いて、１又は２以上の発注会社が発注内容入力手段から各々入力した舗装工事物件情報を集約し、集約した舗装工事物件情報を１又は２以上の受注会社に提供し、受注会社が入札情報入力手段に入力した入札情報に基づいて発注先を決定する舗装工事の入札システムにおいて、コンピュータが、発注会社に関する発注会社情報を記憶する発注会社記憶手段と、受注会社に関する受注会社情報を記憶する受注会社記憶手段と、発注内容入力手段に入力された舗装工事物件情報を発注会社情報と関連づけて記憶する舗装工事物件記憶手段と、舗装工事物件記憶手段に記憶されたいくつかの舗装工事物件を括る舗装工事括り手段と、括り手段によって決定された括りを記憶する括り記憶手段と、舗装工事物件記憶手段に記憶された舗装工事物件情報、及び、括り記憶手段に記憶された括りに関する情報を、発注会社記憶手段に記憶された発注会社及び受注会社記憶手段に記憶された受注会社に通信手段を介して提供する情報提供手段と、を有すること、を特徴とする。
【００１２】
上記構成を有する発明では、発注会社が発注を希望する舗装工事物件に関する舗装工事物件情報を発注内容入力手段に入力すると、舗装工事物件情報が通信手段を介してコンピュータに入力され、発注会社に関する情報と関連づけて舗装工事物件記憶手段に記憶される。舗装工事物件記憶手段に記憶された舗装工事物件は、当該発注会社が発注した舗装工事物件や他の発注会社が発注した舗装工事物件などと自動的に括られ、括り記憶手段に記憶される。舗装工事物件の括りに関する情報は、舗装工事物件情報とともに、発注会社記憶手段に記憶された発注会社と受注会社記憶手段に記憶された受注会社に送信される。
【００１３】
これにより、発注会社記憶手段に記憶された発注会社は、自己が発注した舗装工事物件に関する舗装工事物件情報のみならず、他の発注会社が発注した舗装工事物件に関する舗装工事物件情報を掌握し、例えば、他の発注会社が発注した舗装工事物件と同時期或いは近接する舗装工事物件があれば、その舗装工事物件に関する舗装工事物件情報を発注内容入力手段に入力する。このようにして発注会社の情報提供が促進されるため、括りの対象となる舗装工事物件数が増加し、より効率的に舗装工事物件を括ることが可能になる。一方、受注会社記憶手段に記憶された受注会社は、発注会社が発注した全ての舗装工事物件の舗装工事物件情報を確認するとともに、複数の舗装工事物件を括った括りの内容を掌握した上で、自己の状況に合わせて括りを選択することが可能になる。
【００１４】
受注会社が、選択した括りを入札するために必要な入札情報を入札情報入力手段に入力すると、その入札情報は、通信手段を介してコンピュータに入力される。コンピュータは、入力した入札情報から、もっとも安価な入札金額を提示した受注会社を落札会社に決定する。落札会社は、自己の状況に合わせて入札を行っているため、落札した舗装工事物件を効率的に施工することが可能である。
【００１５】
よって、受注会社は、システム上で発注される舗装工事物件に関する舗装工事物件情報、及び、複数の舗装工事物件を括った括りに関する情報を把握した上で自己の状況に合わせて入札を行うことが可能なので、システム運用の不透明感や不公平感を与えられず、受注機会を損失することなく、舗装工事物件の効率的な施工を実現することができる。一方、受注会社の参加数が増加すれば、入札金額が安価になるので、発注会社は、発注機会を損失することなく、安価に舗装工事物件を発注することができる。
【００１６】
（２）（１）に記載の発明において、舗装工事括り手段は、舗装工事物件記憶手段に記憶される舗装工事物件情報の舗装工事完了日と舗装工事場所とに基づいて１又は２以上の舗装工事物件を括り、括った舗装工事物件の全てが所定期間に合わせて完了するときには当該括りを確定し、括った舗装工事物件の全てが所定期間より前或いは所定期間を超えて完了するときには当該括りを見直して括り直すこと、を特徴とする。
【００１７】
上記構成を有する発明によれば、発注会社が入力した舗装工事物件情報に含まれる舗装工事完了日と舗装工事場所とに基づいて舗装工事物件を括り、括った舗装工事物件の全てが所定時間に工事を完了するか否かを判断し、完了すると判断した場合には、当該括りを確定する一方、完了しないと判断した場合には、所定期間内に舗装工事物件の全ての工事を完了するよう当該括りを見直すようにすれば、落札会社が落札した舗装工事物件の施工予定を立案しやすくなり、受注会社の利便性を向上させることができる。
【００１８】
（３）（２）に記載の発明において、発注会社は、発注内容入力手段から予めいくつかの舗装工事物件を括るよう指定することが可能であり、舗装工事括り手段は、発注会社によって指定された括り指定を、１個の舗装工事物件として取り扱うこと、を特徴とする。
【００１９】
上記構成を有する発明によれば、発注会社が発注する舗装工事物件には、例えば、境界ブロックの据え付けやコンクリートの除去などの付帯工事のついているものと、そのような付帯工事のついていないものがあり、付帯工事のついているものは、付帯工事のついていないものより作業の手間と時間を要し、受注会社が入札を嫌うことが多いが、かかる場合に、発注会社が、予め、付帯工事のついているものと付帯工事のついていないものとをいくつか括って指定し、この括り指定を１個の舗装工事物件として取り扱って括るようにすれば、付帯工事がついている舗装工事物件のみが残ることを回避することができる。
【００２０】
【発明の実施の形態】
以下、本発明の舗装工事の入札システムの一実施の形態について図面を参照して説明する。
本実施の形態にかかる舗装工事の入札システム１は、図１６に示す従来の舗装工事の入札システム１１０と同様に、図１５に示す埋設管敷設工事の舗装工事（本復旧工事）を発注する先を競札により決定するものである。舗装工事を発注する発注会社には、ガス会社、水道会社、設備会社などがあり、また、舗装工事を受注する受注会社には、舗装工事会社などがある。
【００２１】
図１は、舗装工事の入札システム１の概略構成図である。
舗装工事の入札システム１は、発注会社のパーソナルコンピュータ（以下、「ＰＣ」と略記する。）（「発注内容入力手段」に相当するもの。）２Ａ，２Ｂ，２Ｃ，２Ｄ，…と、受注会社のＰＣ（「入札情報入力手段」に相当するもの。）３Ａ，３Ｂ，３Ｃ，３Ｄ…とが、インターネット回線（「通信手段」に相当するもの。）４を介してサーバ（「コンピュータに相当するもの。）５に接続している。運営会社１０は、舗装工事の発注権を有するものではなく、単に、発注会社と受注会社との調整などを行うものである。より具体的には、運営会社１０は、例えば、発注会社及び受注会社を審査してシステムに参加する許可を与えたり、発注会社が発注する舗装工事物件の見積単価を調整したり、受注会社が施工した舗装工事の品質評価をしたり、サーバ５が舗装工事物件を括る際の条件を決定するなどの業務を行う。
【００２２】
図２は、舗装工事の入札システム１のブロック図である。
サーバ５は、インターネット回線４に接続して電気信号を入出力する入出力インターフェース（「情報提供手段」に相当するもの。）６を備え、入出力インターフェース６に接続する中央演算処理装置（以下「ＣＰＵ」という。）７が、入出力インターフェース６から入力した情報などを演算又は加工し、その結果を入出力インターフェース６からインターネット回線４を介して発注会社のＰＣ２Ａ，２Ｂ，２Ｃ，２Ｄ…や受注会社のＰＣ３Ａ，３Ｂ，３Ｃ，３Ｄ…に出力している。ＣＰＵ７には、ＲＯＭ８やＲＡＭ９などが接続している。
【００２３】
ＲＯＭ８は、舗装工事の入札システム１を実行するためのメインプログラム８０などを格納し、さらに、そのメインプログラム８０に舗装工事物件登録プログラム８１、舗装工事物件括りプログラム８２、入札情報登録プログラム８３、落札会社決定登録プログラム８４、舗装工事位置情報登録プログラム８５などが含まれている。
舗装工事物件登録プログラム８１は、発注会社がＰＣ２Ａ，２Ｂ，２Ｃ，２Ｄ…に入力した舗装工事物件を登録するために、舗装工事物件情報や発注会社情報などの情報を演算又は加工するものである。
舗装工事物件括りプログラム８２は、登録された舗装工事物件を１又は２以上の括りに括るために、舗装工事物件情報や受注会社情報などの情報を演算又は加工するものである。
入札情報登録プログラム８３は、入札情報を登録するために、受注会社情報などの情報を演算又は加工するものである。
落札会社決定登録プログラム８４は、受注会社がＰＣ３Ａ，３Ｂ，３Ｃ，３Ｄ…から入力した入札情報に基づいて落札会社を決定して登録するために、入札情報や受注会社情報などの情報を演算又は加工するものである。
舗装工事位置情報登録プログラム８５は、発注会社がＰＣ２Ａ，２Ｂ，２Ｃ，２Ｄ…に入力した舗装工事物件の平面図（範囲）を登録するために位置情報などの情報を演算又は加工するものである。
【００２４】
一方、ＲＡＭ９は、発注会社記憶手段９１、受注会社記憶手段９２、舗装工事物件記憶手段９３、括り記憶手段９４、入札情報記憶手段９５、落札会社記憶手段９６、表示画面記憶手段９７、道路情報記憶手段９８などを格納している。
発注会社記憶手段９１は、ユーザＩＤやパスワードなど発注会社に関する発注会社情報を蓄積して記憶するものである。
受注会社記憶手段９２は、ユーザＩＤやパスワードなど受注会社に関する受注会社情報を蓄積して記憶するものである。
舗装工事物件記憶手段９３は、舗装工事物件を発注会社情報と関連づけ、蓄積して記憶するものである。
括り記憶手段９４は、舗装工事物件を括り単位で記憶するものである。
入札情報記憶手段９５は、入札会社に関する情報を蓄積して記憶するものである。
落札会社記憶手段９６は、落札会社に関する情報を蓄積して記憶するものである。
表示画面記憶手段９７は、発注会社のＰＣ２Ａ，２Ｂ，２Ｃ，２Ｄ…や受注会社のＰＣ３Ａ，３Ｂ，３Ｃ，３Ｄ…などに送信する画像を記憶するものである。
道路状況記憶手段９８は、移動時間や交通データなどを記憶するものである。
【００２５】
次に、上記構成を有する舗装工事の入札システム１の動作について図面を参照して説明する。舗装工事は、図１５に示す埋設管敷設工事の仮復旧が完了した後、埋設管１０４の周りの埋め戻し砂１０５が十分に自然転圧されるのを待って行われる。発注会社は、仮復旧から本復旧までの一時的な復旧状態間において、自社のＰＣ２Ａ，２Ｂ，２Ｃ，２Ｄ…に入力した舗装工事物件を舗装工事物件記憶手段９３に記憶する。より具体的には、以下の通りである。
【００２６】
図３は、舗装工事物件登録処理のサブフローチャートである。図４〜図６は、画面表示の一例を示す図である。図７は、登録済み舗装工事物件一覧表の一例を示す図である。
Ｓ１において、パスワード入力画面を表示し、Ｓ２において、パスワード、ユーザＩＤの入力が有るか否かを判断する。パスワードとユーザＩＤを入力させるのは、発注会社を特定するためである。発注会社は、例えば、ＰＣ２Ａからインターネット回線４を介してサーバ５に舗装工事物件の登録請求すると、図４に示すパスワード入力画面が表示されるので、パスワード入力欄４１とユーザＩＤ入力欄４２に「パスワード」と「ユーザＩＤ」をそれぞれ入力し（Ｓ２：ＹＥＳ）、Ｓ３に進む。一方、「パスワード」と「ユーザＩＤ」が入力されない場合には（Ｓ２：ＮＯ）、そのまま待機し、一定時間入力がなければ終了する。
【００２７】
尚、例えば、初めて舗装工事の入力システム１を利用しようとする未登録発注会社であっても、運営会社１０が行う発注会社登録審査を経て、パスワード及びユーザＩＤを取得すれば、舗装工事物件を登録することができる。
【００２８】
次に、Ｓ３において、舗装工事物件登録画面を表示画面記憶手段９７から読み出して発注会社のＰＣ２Ａに表示し、Ｓ４において、物件情報を入力させ、Ｓ５において、舗装範囲概要を入力させる。すなわち、例えば、発注会社は、図５に示す物件情報入力画面のユーザＩＤ入力欄５１、埋設工事完了日入力欄５２、許可工期入力欄５３、工事場所入力欄５４、予定数量入力欄５５などに所定事項を入力する。但し、発注会社が入力可能な舗装工事物件は、発注会社が道路管理者に道路占有許可を得た「許可工期」から仮復旧が完了した「埋設工事完了日」を減算した「舗装工期」が１０日以上あることを条件とする。受注会社に無理なく舗装工事をさせるためである。また、発注会社は、図６に示す舗装範囲概要入力画面に舗装概要を入力する。すなわち、発注会社は、舗装工事位置情報登録プログラム８５が表示する地図の中から舗装工事場所を特定し、図６に示すように舗装工事場所付近の地図５７を拡大表示させる。そして、地図５７に示される道路に舗装復旧範囲５８（格子部分）を記述する。これにより、第三者が舗装工事物件の舗装範囲、舗装面積、舗装種などの工事環境条件などを容易に確認することができるようになる。
【００２９】
次に、Ｓ６において、基準入札金額の見積を行う。すなわち、発注会社は、参加資格を審査した際や年間契約更改時などに予め単価契約を締結しており、決められた単価に基づいて基準入札金額を自動的に算出する。算出した基準入札金額は、発注会社に提示され、Ｓ７において、当該舗装工事物件を登録してよいか否かの登録確認を行う。発注会社の登録確認が得られない場合には（Ｓ７：ＮＯ）、その舗装工事物件を舗装工事物件記憶手段９３に登録せずに終了する。一方、発注会社の登録確認が得られた場合には（Ｓ７：ＹＥＳ）、Ｓ８において、当該舗装工事物件に物件番号を付加し、舗装工事物件に関する舗装工事物件情報、基準入札金額、物件番号などを舗装工事物件記憶手段９３に記憶することにより舗装工事物件を登録する。
【００３０】
次に、Ｓ９において、舗装工事物件情報を発注会社記憶手段９１、受注会社記憶手段９２に記憶された全ての発注会社及び受注会社に電子メールなどで提供することにより、登録が完了した旨通知する。すなわち、発注会社及び受注会社は、発注会社が工事予定物件を登録する都度、舗装工事物件情報を入手することが可能となる。尚、舗装工事物件情報は、発注会社及び受注会社が行政、工事時期などの条件を設定して絞り込み、必要な舗装工事物件情報を選択して入手できるようにしてもよい。また、発注会社及び受注会社が、１日１回、舗装工事物件情報を一覧として受け取るようにしてもよい。
【００３１】
上記通知により、発注会社及び受注会社は、舗装工事物件情報を基にサーバ５にアクセスし、舗装工事物件の詳細を入手することが可能である。また、図７に示す登録済み舗装工事物件の一覧表を得ることもできる。ここで、図７に示す登録済み舗装工事物件の一覧表には、舗装工事物件記憶手段９３に記憶されている全ての舗装工事物件の舗装工事物件情報が開示されている。従って、発注会社は、自己の発注した舗装工事物件の舗装工事物件情報のみならず、他の発注会社が発注した舗装工事物件の舗装工事物件情報を把握することができるようになり、表示された舗装工事物件と「埋設工事完了日」が同時期の舗装工事物件を有する場合や、「埋設工事完了日」が同時期でなくても、「工事場所」が近い舗装工事物件を有する場合などには、その舗装工事物件を登録しておけば、当該舗装工事物件がそれらの舗装工事物件と括られて、安価に発注することが可能になる。それに対し、受注会社は、今後発注予定の舗装工事物件情報を早期に入手することが可能となり、入札準備をすることができる。
【００３２】
こうした判断を容易にするため、図７に示す一覧表には、埋設工事完了日の早い舗装工事物件から順に表示されており、各舗装工事物件の欄に舗装工事物件情報が開示されている。舗装工事物件情報は、舗装工事の内容を把握するために必要な情報であり、例えば、舗装工事物件に付加された「物件番号」、舗装工事物件に関する舗装工事物件情報の「入力日」、舗装工事物件を発注した「発注会社」、埋設工事が完了した「埋設工事完了日」、発注会社が道路管理者から道路占有を許可されている「許可工期」、「許可工期」から「埋設工事完了日」を減算して求められる「舗装工期日数」、ガス工事や水道工事などの「工事種」、舗装工事物件の住所である「工事場所」、街きょ、境界ブロック、側溝などの「付帯工事」などが考えられる。
【００３３】
続いて、舗装工事物件の括り処理について説明する。図８は、舗装工事物件括り処理のメインフローチャートである。
舗装工事物件の括り処理は、舗装工事物件記憶手段９３に記憶された舗装工事物件同士で「埋設工事完了日」、「工事場所」が近いものがあるときに、舗装工事物件括りプログラム８２を実行して行われる。すなわち、図８のＳ１１において、舗装工事物件を括った後、Ｓ１２において、受注会社に入札依頼する。具体的な処理は、以下の通りである。
【００３４】
図９は、舗装工事物件括り処理のサブフローチャートである。図１０は、舗装工事物件括り処理によって括られる過程を示す図である。図１１は、舗装工事物件情報等一覧表の一例を示す図である。
図９のＳ１１０１において、発注会社側が指定した舗装工事物件を括る。発注会社が発注する舗装工事物件には、例えば、境界ブロックの据え付け、コンクリートの除去、側溝の設置などの付帯工事を有するものと、付帯工事を有しないものとがあり、付帯工事を有するものは、付帯工事を有しないものより作業の手間と時間を要し、受注会社が入札を嫌うことが多い。そこで、発注会社が、予め、付帯工事を有するものと付帯工事を有しないものとをいくつか括ることにより括りを指定し、この括り指定を１個の舗装工事物件として取り扱うようにする。
【００３５】
次に、Ｓ１１０２において、舗装工事物件記憶手段９３から「埋設工事完了日」を抽出した後、Ｓ１１０３において、舗装工事物件記憶手段９３から「工事場所」の住所を抽出する。そして、Ｓ１１０４において、埋設工事完了日が、１週間以内かつ行政単位が同じかつ位置情報が近い物件を括る。埋設工事完了日のばらつきを小さくして無駄なく舗装工事物件を括るとともに、舗装工事物件間の移動時間を短くして作業効率を向上させることができるからである。すなわち、図１０に示す事例の場合、実際の括りでは半日で施工可能な件数（例えば、５〜１０件）を括るが、ここでは、３〜６件を括るものとすると、例えば、図１０（ａ）に示すように、Ａ地区の舗装工事物件ａ１〜ａ６を括って括りＨ１とし、Ｂ地区の舗装工事物件ｂ１〜ｂ４を括って括りＨ２とし、Ｃ地区の舗装工事物件ｃ１〜ｃ３を括って括りＨ３とする。尚、発注会社が括り指定している場合には、括り指定されたいくつかの舗装工事物件は、分離されることなく、まとめて他の舗装工事物件と括られる。
【００３６】
次に、Ｓ１１０５において、工事量を計算する。すなわち、図１０（ａ）に示す括りＨ１〜Ｈ３の工事量を計算する。工事量は、発注会社によって登録された舗装工事物件情報を舗装工事物件記憶手段９３から読み出し、括りＨ１（Ｈ２，Ｈ３）に含まれる舗装工事物件ａ１〜ａ６（ｂ１〜ｂ４，ｃ１〜ｃ３）間の最短順路を割り出して、道路状況記憶手段９８から移動時間、交通量データを読み出し、計算される。
【００３７】
次に、Ｓ１１０６において、工事量は半日で施工可能な適切量か否かを判断する。半日を基準にするのは、一般的に、受注会社は半日単位で作業計画を立案するからである。かかる観点から検討すると、例えば、括りＨ１は、舗装工事物件ａ２〜ａ４が近接しているが、舗装工事物件ａ１，ａ５，ａ６が舗装工事物件ａ２〜ａ４からそれぞれ離れて存在している。そのため、半日で舗装工事を完了することは困難である。また、括りＨ２は、舗装工事物件ｂ１〜ｂ４は、Ｂ地区の各地に点在しているが、舗装工事物件数が少ない。そのため、半日で舗装工事を完了することが可能である。さらに、括りＨ３は、舗装工事物件数が少なく、しかも、舗装工事物件ｃ１〜ｃ３が比較的近接している。そのため、半日より前に舗装工事を完了し、作業時間が余剰する可能性がある。
【００３８】
そこで、括りＨ２については、工事量が適切と判断し（Ｓ１１０６：適切）、Ｓ１１１０に進む。
一方、括りＨ１については、工事量が多いと判断し（Ｓ１１０６：多い）、Ｓ１１０７において、括りを分割する。すなわち、舗装工事物件ａ６を括りＨ１から分割して舗装工事物件ａ１〜ａ５のみを括った場合における作業時間と移動時間を算出するとともに、舗装工事物件ａ１を括りＨ１から分割して舗装工事物件ａ２〜ａ６のみを括った場合における作業時間と移動時間を算出し、これらの算出結果を比較する。この場合、他の括りＨ２との関係や移動時間などを考慮すると、舗装工事物件ａ２〜ａ６を括るのが望ましい。そこで、図１０（ｂ）に示すように、括りＨ１から舗装工事物件ａ１を分割し、新たに舗装工事物件ａ２〜ａ６を括りＪ１に括り直す。そして、Ｓ１１０６に戻り、括りＪ１の工事量が適切量であるか否かを判断する。
【００３９】
また、括りＨ３については、工事量が少ないと判断し（Ｓ１１０６：少ない）、Ｓ１１０８において、行政単位以外の近接点に舗装工事物件があるか否かを判断する。図１０（ａ）では、Ｃ地区に隣接するＡ地区の舗装工事物件ａ１が括りＨ３に近接し、さらに、舗装工事物件ａ１は括りＨ１から分割され、いずれの括りにも属していない。そこで、図１０（ｂ）に示すように、Ｃ地区以外の近接点に舗装工事物件ａ１があると判断し（Ｓ１１０８：ＹＥＳ）、Ｓ１１０９において、Ａ地区の舗装工事物件ａ１を括りＨ３に加え、新たに舗装工事物件ａ１，ｃ１〜ｃ３を括りＪ３に括り直す。そして、Ｓ１１０６に戻り、括りＪ３の工事量が適切量であるか否かを判断する。
【００４０】
括りＨ２，Ｊ１，Ｊ３の工事量を適切量に調整したら（Ｓ１１０６：適切）、Ｓ１１１０において、入札期間を決定する。入札期間は、例えば、括りＨ２，Ｊ１，Ｊ３に含まれる舗装工事物件の中で許可工期満了日が最も遅い日を基準日とし、その基準日の１週間前から基準日前日までに設定する。そして、Ｓ１１１１において、括りＨ２，Ｊ１，Ｊ３を確定し、括りＨ２，Ｊ１，Ｊ３…を括り記憶手段９４に記憶し、図８に戻る。
【００４１】
尚、「埋設工事完了日」、「工事場所」などの括りの条件は、運営会社１０が設定可能である。そのため、運営会社１０が、「埋設工事完了日」、「工事場所」に加え、「発注会社が同一であること」を括りの条件に加えれば、発注会社と受注会社との関係が１対１の関係になり、報酬の支払などの事務処理を容易に行うことが可能になる。
【００４２】
次に、図８のＳ１２において、入札依頼を行う。すなわち、新たに括りを決定したら、舗装工事物件記憶手段９３に記憶されている全ての舗装工事物件ａ１〜ａ６、ｂ１〜ｂ４、ｃ１〜ｃ３…の舗装工事物件情報、及び、括り記憶手段９４に記憶されている全ての括りＨ２，Ｊ１，Ｊ３…に関する情報を読み出して、受注会社記憶手段９２に記憶されている全ての受注会社に電子メールなどで通知する。舗装工事物件情報、括りに関する情報などは、例えば、図１１に示す一覧形式で受注会社に提供される。ここで、括りに関する情報とは、括りの内容を把握するために必要な情報をいう。
【００４３】
図１１に示す括りに関する情報等一覧表には、括りに関する情報として、例えば、括りＨ２，Ｊ１，Ｊ３…が色分けなどされて明確に判別できるように開示され、各括りＨ２，Ｊ１，Ｊ２…毎に当該括りに含まれる舗装工事物件の「基準入札金額」を合計した「基準入札金額合計」が表示されるとともに、括りＨ２，Ｊ１，Ｊ３の欄に括られた舗装工事物件ｂ１〜ｂ４、舗装工事物件ａ２〜ａ６、舗装工事物件ａ１，ｃ１〜ｃ３がそれぞれ開示されている。そして、舗装工事物件情報として、例えば、図１１に示す括りに関する情報等一覧表の各舗装工事物件の欄に、各舗装工事物件の「入力日」、当該舗装工事物件を発注した「発注会社名称」、埋設工事が完了した「埋設工事完了日」、発注会社が道路管理者から道路占有を許可されている「許可工期」、「許可工期」から「埋設工事完了日」を減算して求められる「舗装工期日数」、ガス工事や水道工事などの「工事種」、舗装工事物件の住所である「工事場所」、街きょ、境界ブロック、側溝などの「付帯工事」などが開示されている。さらに、受注会社が、例えば、舗装工事物件の欄をクリックしたときに、クリックした舗装工事物件に係る舗装範囲概要などを表示するようにすれば、受注会社が舗装工事の条件を詳細に把握することができる。従って、受注会社は、舗装工事物件記憶手段９３、括り記憶手段９４に記憶されている情報を掌握することが可能である。
【００４４】
図１２は、入札情報登録処理のフローチャートである。
入札情報登録処理は、受注会社が入札情報を入力したときに、入札情報登録プログラム８３を実行することにより行われる。先ず、Ｓ２１において、発注会社による舗装工事物件を登録する場合と同様、パスワード入力画面を表示し、Ｓ２２において、パスワード、ユーザＩＤの入力が有るか否かを判断する。舗装工事の入札システム１に参加する受注会社を、一定水準を超える舗装工事品質を提供しうるものに限定するためである。受注会社が「パスワード」と「ユーザＩＤ」を入力した場合には（Ｓ２２：ＹＥＳ）、Ｓ２３に進む。一方、受注会社が「パスワード」と「ユーザＩＤ」を入力しない場合には（Ｓ２２：ＮＯ）、そのまま待機し、一定時間入力がなければ終了する。
【００４５】
尚、例えば、初めて舗装工事の入力システム１を利用しようとする未登録受注会社であっても、所定の受注会社情報を入力し、運営会社１０が行う受注会社登録審査を経て、パスワード及びユーザＩＤを取得すれば、入札に参加することができる。
【００４６】
次に、Ｓ２３において、入札金額の照会請求が有るか否かを判断する。入札金額は、受注会社の競札によって、入札期間中に変動するので、受注会社が、入札金額などを含む入札情報をインターネット回線４を通じて自由に確認できるようにすれば、受注会社が既に入札した受注会社より安価な入札金額を入力することが可能になるからである。そして、例えば、受注会社が舗装工事物件の括りを特定して入札金額照会請求をした場合には（Ｓ２３：ＹＥＳ）、Ｓ２４において、入札情報記憶手段９５から特定された括りの入札金額を読み出して、受注会社に通知した後、Ｓ２５に進む。一方、入札金額の照会請求がない場合には（Ｓ２３：ＮＯ）、そのままＳ２５に進む。
【００４７】
次に、Ｓ２５において、サーバ５から提供された舗装工事物件について入札請求が有るか否かを判断し、入力請求がないと判断した場合には（Ｓ２５：ＮＯ）、そのまま処理を終了する一方、入札請求が有ると判断した場合には（Ｓ２５：ＹＥＳ）、Ｓ２６において、入力された入札情報を入力情報記憶手段９５に記憶することにより登録する。
【００４８】
受注会社は、サーバ５から提供された舗装工事物件の舗装工事物件情報、括りに関する情報、他の受注会社が提示した入札金額等の内容を確認し、自己の状況に合わせて入札する舗装工事物件の選択及び入札金額の設定を行う。例えば、作業員の少ない発注会社ならば、舗装工事物件ａ１、ｃ１〜ｃ３が比較的近接し、工事箇所の少ない括りＪ３を選択する。また、例えば、作業員の多い発注会社ならば、工事箇所の多い括りＪ１を選択する。さらに、受注会社は、他の受注会社の入札金額を参照して、それより低額の入札金額を設定する。尚、受注会社は、入札期間内であれば何度でも同一の括りについて入札金額を設定し直すことができ、受注会社相互間の価格競争を一層促進するとともに、受注会社の利便性が向上する。そして、受注会社が、入札する括りを特定して入札金額などの入札情報を入力したら、その入札情報を入札を行った受注会社の受注会社情報と関連づけ、入札情報記憶手段９５に記憶する。このようにして、舗装工事物件或いは括り毎に入札情報を蓄積していく。
【００４９】
次に、落札会社決定登録処理について説明する。図１３は、落札会社決定登録処理のメインフローチャートである。
落札会社決定登録処理は、入札期間を満了した括りがあると判断したときに（Ｓ３１：ＹＥＳ）、落札会社決定登録プログラム８４を実行することにより行われる。具体的には、以下の通りである。
【００５０】
図１４は、落札会社決定登録処理のサブフローチャートである。
Ｓ３１０１において、入札期間が満了した括りを括り記憶手段９４から抽出する。すなわち、例えば、入札期間が満了する括りＨ２，Ｊ１，Ｊ３が有る場合、これらを順次処理すべく、括りＨ２を抽出する。そして、Ｓ３１０２において、抽出した括りＨ２を入札した入札会社を、入札情報記憶手段９５に記憶される入札情報から抽出する。
【００５１】
次に、Ｓ３１０３において、抽出した括りＨ２に入札会社が有るか否かを判断する。入札会社がないと判断した場合には（Ｓ３１０３：ＮＯ）、Ｓ３１０４において、括りＨ２に含まれる舗装工事物件を発注した発注会社のＰＣ２Ａ，２Ｂ，２Ｃ，２Ｄ…に舗装工事物件ｂ１〜ｂ４の舗装工事物件情報を返信し、Ｓ３１０８に進む。この場合、運営会社１０は、括りの分割や発注会社と基準入札金額の見直しを行う。そして、Ｓ３１０８において、入札期間が満了した括りの全てについて落札会社を決定したか否かを判断する。この時点では、入札期間が満了した括りＪ１，Ｊ３について落札会社を決定していないので（Ｓ３１０８：ＮＯ）、Ｓ３１０１に戻る。
【００５２】
次に、Ｓ３１０１において、入札期間が満了した括りＪ１を括り記憶手段９４から抽出する。すなわち、そして、Ｓ３１０２において、抽出した括りＪ１の入札会社を入札情報記憶手段９５から抽出する。そして、Ｓ３１０３において、抽出した括りＪ１に入札会社が有るか否かを判断する。入札会社が１社あると判断した場合には（Ｓ３１０３：ＹＥＳ）、Ｓ３１０５において、入札金額が最も安価な受注会社、すなわち、当該入札会社を落札会社に決定する。そして、Ｓ３１０６において、落札会社を落札会社記憶手段９６に登録し、Ｓ３１０７において、落札会社に舗装工事物件ａ２〜ａ６の発注通知を送信するとともに、舗装工事物件ａ２〜ａ６を発注した発注会社に落札会社に関する情報を通知する。そして、Ｓ３１０８において、入札期間が満了した括りの全てについて落札会社を決定したか否かを判断する。この時点では、入札期間が満了した括りＪ３について落札会社を決定していないので（Ｓ３１０８：ＮＯ）、Ｓ３１０１に戻る。
【００５３】
次に、Ｓ３１０１において、入札期間が満了した括りＪ３を括り記憶手段９４から抽出する。すなわち、そして、Ｓ３１０２において、抽出した括りＪ３の入札会社を入札情報記憶手段９５から抽出する。そして、Ｓ３１０３において、抽出した括りＪ３に入札会社が有るか否かを判断する。入札会社が複数あると判断した場合には（Ｓ３１０３：ＹＥＳ）、Ｓ３１０５において、入札金額が最も安価な受注会社を落札会社に決定する。ここで、従来の入札では、受注会社が他の受注会社の入札金額を一切知ることができなかったが、本実施の形態では、上述の通り、受注会社が入札金額照会請求をすることにより他の受注会社の入札金額を掌握した上で入札金額を設定するので（図１２参照）、落札金額が低廉化する。そして、Ｓ３１０６において、落札会社を落札会社記憶手段９６に登録し、Ｓ３１０７において、落札会社に舗装工事物件ａ２〜ａ６の発注通知を送信するとともに、舗装工事物件ａ２〜ａ６を発注した発注会社に落札会社に関する情報を通知する。そして、Ｓ３１０８において、入札期間が満了した括りの全てについて落札会社を決定したか否かを判断する。この時点では、入札期間が満了した括りＨ２，Ｊ１，Ｊ３について全て落札会社を決定したので（Ｓ３１０８：ＹＥＳ）、図１３に戻って処理を終了する。
【００５４】
落札会社は、落札した舗装工事物件を舗装工期の末日までに完了するよう施工するが、この場合、自社の状況に合わせて括りを入札しているので、落札した舗装工事物件の舗装工事を効率的に施工することが可能である。一方、発注会社は、落札会社に対し、支払条件に従って入札金額を支払う。
【００５５】
このように、発注会社は、全ての舗装工事物件の舗装工事物件情報と、括りに関する情報とを掌握した上で、自己の状況に合わせて入札することが可能なので、システム運用の不透明感や不公平感を与えられず、受注機会を損失することなく、舗装工事物件の効率的な施工を実現することができる。一方、受注会社の参加数が増加すれば、入札金額が安価になるので、発注会社は、発注機会を損失することなく、安価に舗装工事物件を発注することができる。
【００５６】
従って、本実施の形態の舗装工事の入札システム１によれば、発注会社が少なくとも舗装工事完了日及び舗装工事場所を含む舗装工事物件情報を入力するＰＣ２Ａ，２Ｂ，２Ｃ，２Ｄ…と、受注会社が入札情報を入力するＰＣ３Ａ，３Ｂ，３Ｃ，３Ｄ…とに対して、電気信号を送受信するインターネット回線４を介して接続するサーバ５を用いて、１又は２以上の発注会社がＰＣ２Ａ…から各々入力した舗装工事物件情報を集約し、集約した舗装工事物件情報を１又は２以上の受注会社に提供し、受注会社がＰＣ３Ａ…に入力した入札情報に基づいて発注先を決定するものにおいて、サーバ５が、発注会社に関する発注会社情報を記憶する発注会社記憶手段９１と、受注会社に関する受注会社情報を記憶する受注会社記憶手段９２と、ＰＣ２Ａ，２Ｂ，２Ｃ，２Ｄ…に入力された舗装工事物件情報を発注会社情報と関連づけて記憶する舗装工事物件記憶手段９３と、舗装工事物件記憶手段に記憶されたいくつかの舗装工事物件を括る舗装工事物件括りプログラム８２を備える舗装工事括り手段と、括り手段によって決定された括りを記憶する括り記憶手段９４と、舗装工事物件記憶手段９３に記憶された舗装工事物件情報、及び、括り記憶手段９４に記憶された括りに関する情報を、発注会社記憶手段９１に記憶された発注会社及び受注会社記憶手段９２に記憶された受注会社にインターネット回線４を介して提供する入出力インターフェース６と、を有しているので、舗装工事物件情報を発注会社と受注会社に公開することでシステム運用の透明性及び公平性を担保し、発注会社には、舗装工事の発注機会を損失することなく、安価な工事の発注を可能とし、受注会社には、受注機会を損失することなく、舗装工事物件の効率的な施工を実現することができる。
【００５７】
また、舗装工事括り手段は、舗装工事物件記憶手段９３に記憶される舗装工事物件情報の舗装工事完了日と舗装工事場所とに基づいて１又は２以上の舗装工事物件を括り、括った舗装工事物件の全てが所定期間に合わせて完了するときには当該括りを確定し、括った舗装工事物件の全てが所定期間より前或いは所定期間を超えて完了するときには当該括りを見直して括り直すようにすれば、落札会社が落札した舗装工事物件の施工予定を立案しやすくなり、受注会社の利便性を向上させることができる。
【００５８】
また、発注会社が、ＰＣ２Ａ…から予めいくつかの舗装工事物件を括るよう指定した場合に、舗装工事括り手段が、発注会社によって指定された括り指定を、１個の舗装工事物件として取り扱うようにすれば、付帯工事などを有する舗装工事物件のみが残ることを回避することができる。
【００５９】
尚、本発明は上記実施の形態に限定されるものでなく、その趣旨を逸脱しない範囲で様々な変更が可能である。
【００６０】
【発明の効果】
以上説明したように、本発明の舗装工事の入札システムによれば、発注会社が少なくとも舗装工事完了日及び舗装工事場所を含む舗装工事物件情報を入力する発注内容入力手段と、受注会社が入札情報を入力する入札情報入力手段とに対して、電気信号を送受信する通信手段を介して接続するコンピュータを用いて、１又は２以上の発注会社が発注内容入力手段から各々入力した舗装工事物件情報を集約し、集約した舗装工事物件情報を１又は２以上の受注会社に提供し、受注会社が入札情報入力手段に入力した入札情報に基づいて発注先を決定する舗装工事の入札システムにおいて、コンピュータが、発注会社に関する発注会社情報を記憶する発注会社記憶手段と、受注会社に関する受注会社情報を記憶する受注会社記憶手段と、発注内容入力手段に入力された舗装工事物件情報を発注会社情報と関連づけて記憶する舗装工事物件記憶手段と、舗装工事物件記憶手段に記憶されたいくつかの舗装工事物件を括る舗装工事括り手段と、括り手段によって決定された括りを記憶する括り記憶手段と、舗装工事物件記憶手段に記憶された舗装工事物件情報、及び、括り記憶手段に記憶された括りに関する情報を、発注会社記憶手段に記憶された発注会社及び受注会社記憶手段に記憶された受注会社に通信手段を介して提供する情報提供手段と、を有しているので、舗装工事物件情報を発注会社と受注会社に公開することでシステム運用の透明性及び公平性を担保し、発注会社には、舗装工事の発注機会を損失することなく、安価な工事の発注を可能とし、受注会社には、受注機会を損失することなく、舗装工事物件の効率的な施工を実現することができる。
【図面の簡単な説明】
【図１】本発明の実施の形態において、舗装工事の入札システムの概略構成図である。
【図２】同じく、舗装工事の入札システムのブロック図である。
【図３】同じく、舗装工事物件登録処理のフローチャートである。
【図４】同じく、パスワード入力画面の一例を示す図である。
【図５】同じく、物件情報入力画面の一例を示す図である。
【図６】同じく、舗装範囲概要入力画面の一例を示す図である。
【図７】同じく、登録済み舗装工事物件一覧表の一例を示す図である。
【図８】同じく、舗装工事物件括り処理のメインフローチャートである。
【図９】同じく、舗装工事物件括り処理のサブフローチャートである。
【図１０】同じく、舗装工事物件括り処理によって括られる過程を示す図である。
【図１１】同じく、括りに関する情報等一覧表の一例を示す図である。
【図１２】同じく、入札情報登録処理のフローチャートである。
【図１３】同じく、落札会社決定登録処理のメインフローチャートである。
【図１４】同じく、落札会社決定登録処理のサブフローチャートである。
【図１５】埋設管敷設工事の流れを示す図である。
【図１６】従来の舗装工事の入札システムの流れを示す図である。
【符号の説明】
１  舗装工事の入札システム
２Ａ，２Ｂ，２Ｃ，２Ｄ…  パーソナルコンピュータ（ＰＣ）
３Ａ，３Ｂ，３Ｃ，３Ｄ…  パーソナルコンピュータ（ＰＣ）
４  インターネット回線
５  サーバ
６  入出力インターフェース
８２  舗装工事物件括りプログラム
９３  舗装工事物件記憶手段
９４  括り記憶手段
ａ１〜ａ６  舗装工事物件
ｂ１〜ｂ４  舗装工事物件
ｃ１〜ｃ３  舗装工事物件
Ｈ２  括り
Ｊ１  括り
Ｊ３  括り
【図１】
2004302659.tif 000003
【図２】
2004302659.tif 000004
【図３】
2004302659.tif 000005
【図４】
2004302659.tif 000006
【図５】
2004302659.tif 000007
【図６】
2004302659.tif 000008
【図７】
2004302659.tif 000009
【図８】
2004302659.tif 000010
【図９】
2004302659.tif 000011
【図１０】
2004302659.tif 000012
【図１１】
2004302659.tif 000013
【図１２】
2004302659.tif 000014
【図１３】
2004302659.tif 000015
【図１４】
2004302659.tif 000016
【図１５】
2004302659.tif 000017
【図１６】
2004302659.tif 000018